【事件の表示】
　特許第５５３２３６６号に関する訂正審判事件について、次のとおり審決する。
【結　論】
　特許第５５３２３６６号に係る明細書、特許請求の範囲及び図面を本件審判請求書に添付された訂正明細書、特許請求の範囲及び図面のとおり訂正することを認める。
【理　由】
第１　手続の経緯
　本件訂正審判の請求に係る特許第５５３２３６６号発明（以下「本件特許」という。）は、２０１３年１月１５日（優先権主張　２０１２年１月１７日　日本国）を国際出願日とする出願（特願２０１３−５１３３２１号）の請求項１〜１４に係る発明について平成２６年５月９日に特許権の設定登録がなされたものである。
　そして、平成２７年７月２日に、本件訂正審判の請求がなされ、同年８月１３日付け手続補正書および同年８月２１日付け手続補正書が提出され、同年８月３１日付けで訂正拒絶理由が通知され、同年１０月５日付けで意見書が提出されたものである。
第２．請求の趣旨及び理由
 　本件訂正審判請求の趣旨は、「特許第５５３２３６６号の明細書、特許請求の範囲、及び図面を本件審判請求書に添付した訂正明細書、特許請求の範囲、及び図面のとおり、請求項ごと又は一群の請求項ごとに訂正することを認める、との審決を求める。」というものであり、すなわち、本件特許に係る願書に添付した特許請求の範囲を下記訂正事項１〜７のとおりに訂正することを求めるというものである。
 　 
 ［訂正事項］
１　訂正事項１
　特許請求の範囲の請求項１を削除する。
２　訂正事項２
　特許請求の範囲の請求項１１を削除する。
３　訂正事項３
　特許請求の範囲の請求項１２を削除する。
４　訂正事項４
　特許請求の範囲の請求項１３を削除する。
５　訂正事項５
　特許請求の範囲の請求項１４を削除する。
６　訂正事項６
　以下のとおり、特許請求の範囲の訂正前の請求項２の記載を訂正後の請求項２の記載のとおり訂正する。
（訂正前）「【請求項２】
R1が低級アルキルで置換されたピペラジニル、低級アルキルで置換されたピペリジニル又は低級アルキルで置換されていてもよいピペラジニルで置換されたピペリジニルであり、環Aがハロゲン、1以上のハロゲンで置換されていてもよい低級アルキル及び-O-低級アルキルからなる群より選択される1以上の置換基で置換されていてもよいベンゼン、低級アルキルで置換されていてもよいピラゾール、低級アルキルで置換されていてもよいイミダゾール又は低級アルキルで置換されていてもよいピリミジンであり、R3及びR4がHである、請求項１に記載の化合物又はその塩。」を
（訂正後）「【請求項２】
式（１）の化合物又はその塩。
（式中、
R1が低級アルキルで置換されたピペラジニル、低級アルキルで置換されたピペリジニル又は低級アルキルで置換されていてもよいピペラジニルで置換されたピペリジニルであり、環Aがハロゲン、1以上のハロゲンで置換されていてもよい低級アルキル及び-O-低級アルキルからなる群より選択される1以上の置換基で置換されていてもよいベンゼン、低級アルキルで置換されていてもよいピラゾール、低級アルキルで置換されていてもよいイミダゾール又は低級アルキルで置換されていてもよいピリミジンであり、
L1は、-NH-であり、
R2は、H、又は低級アルキルであり、
L2は、-O-、-S(O)p-、又は結合であり、
Yは、環Xであり、
環Xは、置換されていてもよいシクロアルカン、置換されていてもよいアレーン、置換されていてもよい芳香族へテロ環又は置換されていてもよい非芳香族ヘテロ環であり、
L3は、-O-、-NH-、-N(置換されていてもよい低級アルキル)-、-N(置換されていてもよいシクロアルキル)-、-置換されていてもよい低級アルキレン-、-置換されていてもよい低級アルキレン-NH-、-NH-置換されていてもよい低級アルキレン-、-置換されていてもよい低級アルキレン-N(置換されていてもよい低級アルキル)-、-N(置換されていてもよい低級アルキル)-置換されていてもよい低級アルキレン-又は結合であり、
Mは、-C(O)-であり、
R3及びR4がHであり、
pは、0、1又は2である。）」
７　訂正事項７
　以下のとおり、特許請求の範囲の訂正前の請求項１０の記載を訂正後の請求項１０の記載のとおり訂正する。
（訂正前）「【請求項１０】
5-[3-(アクリロイルアミノ)フェノキシ]-6-エチル-3-{[4-(4-メチルピペラジン-1-イル)フェニル]アミノ}ピラジン-2-カルボキサミド、
5-(3-{[(2E)-4-(ジメチルアミノ)ブタ-2-エノイル]アミノ}フェノキシ)-6-エチル-3-{[4-(4-メチルピペラジン-1-イル)フェニル]アミノ}ピラジン-2-カルボキサミド、
5-[3-(アクリロイルアミノ)-2-メチルフェノキシ]-6-エチル-3-{[4-(4-メチルピペラジン-1-イル)フェニル]アミノ}ピラジン-2-カルボキサミド、
5-[3-(アクリロイルアミノ)フェノキシ]-6-イソプロピル-3-{[4-(4-メチルピペラジン-1-イル)フェニル]アミノ}ピラジン-2-カルボキサミド、
5-(1-アクリロイルピペリジン-4-イル)-6-エチル-3-({3-メチル-4-[4-(4-メチルピペラジン-1-イル)ピペリジン-1-イル]フェニル}アミノ)ピラジン-2-カルボキサミド、
5-[3-(アクリロイルアミノ)フェノキシ]-3-{[4-(4-メチルピペラジン-1-イル)フェニル]アミノ}ピラジン-2-カルボキサミド、
5-[3-(アクリロイルアミノ)フェノキシ]-6-エチル-3-{[4-メトキシ-3-(4-メチルピペラジン-1-イル)フェニル]アミノ}ピラジン-2-カルボキサミド、
5-[3-(アクリロイルアミノ)フェノキシ]-6-エチル-3-{[4-(4-エチルピペラジン-1-イル)フェニル]アミノ}ピラジン-2-カルボキサミド、
5-{[(3R)-1-アクリロイルピロリジン-3-イル]オキシ}-6-エチル-3-({4-[4-(4-メチルピペラジン-1-イル)ピペリジン-1-イル]フェニル}アミノ)ピラジン-2-カルボキサミド、
5-[3-(アクリロイルアミノ)フェノキシ]-6-イソプロピル-3-{[1-(1-メチルピペリジン-4-イル)-1H-ピラゾール-4-イル]アミノ}ピラジン-2-カルボキサミド、
5-[3-(アクリロイルアミノ)フェノキシ]-3-({4-[(3S)-3,4-ジメチルピペラジン-1-イル]フェニル}アミノ)-6-エチルピラジン-2-カルボキサミド、
5-[3-(アクリロイルアミノ)フェノキシ]-3-({4-[(3R)-3,4-ジメチルピペラジン-1-イル]フェニル}アミノ)-6-エチルピラジン-2-カルボキサミド、
5-(1-アクリロイルピペリジン-4-イル)-6-エチル-3-({4-[4-(4-メチルピペラジン-1-イル)ピペリジン-1-イル]フェニル}アミノ)ピラジン-2-カルボキサミド、
5-{[(3R)-1-アクリロイルピロリジン-3-イル]オキシ}-6-エチル-3-{[4-(4-メチルピペラジン-1-イル)フェニル]アミノ}ピラジン-2-カルボキサミド、
5-{[(3R)-1-アクリロイルピペリジン-3-イル]オキシ}-6-エチル-3-({4-[4-(4-メチルピペラジン-1-イル)ピペリジン-1-イル]フェニル}アミノ)ピラジン-2-カルボキサミド、
5-{[(3R)-1-アクリロイルピペリジン-3-イル]オキシ}-6-エチル-3-({3-メチル-4-[4-(4-メチルピペラジン-1-イル)ピペリジン-1-イル]フェニル}アミノ)ピラジン-2-カルボキサミド、若しくは、
5-[5-(アクリロイルアミノ)-2-フルオロフェノキシ]-6-エチル-3-{[4-(4-メチルピペラジン-1-イル)フェニル]アミノ}ピラジン-2-カルボキサミド、
又はその塩である、請求項１に記載の化合物又はその塩。」を
（訂正後）「【請求項１０】
5-[3-(アクリロイルアミノ)フェノキシ]-6-エチル-3-{[4-(4-メチルピペラジン-1-イル)フェニル]アミノ}ピラジン-2-カルボキサミド、
5-(3-{[(2E)-4-(ジメチルアミノ)ブタ-2-エノイル]アミノ}フェノキシ)-6-エチル-3-{[4-(4-メチルピペラジン-1-イル)フェニル]アミノ}ピラジン-2-カルボキサミド、
5-[3-(アクリロイルアミノ)-2-メチルフェノキシ]-6-エチル-3-{[4-(4-メチルピペラジン-1-イル)フェニル]アミノ}ピラジン-2-カルボキサミド、
5-[3-(アクリロイルアミノ)フェノキシ]-6-イソプロピル-3-{[4-(4-メチルピペラジン-1-イル)フェニル]アミノ}ピラジン-2-カルボキサミド、
5-(1-アクリロイルピペリジン-4-イル)-6-エチル-3-({3-メチル-4-[4-(4-メチルピペラジン-1-イル)ピペリジン-1-イル]フェニル}アミノ)ピラジン-2-カルボキサミド、
5-[3-(アクリロイルアミノ)フェノキシ]-3-{[4-(4-メチルピペラジン-1-イル)フェニル]アミノ}ピラジン-2-カルボキサミド、
5-[3-(アクリロイルアミノ)フェノキシ]-6-エチル-3-{[4-メトキシ-3-(4-メチルピペラジン-1-イル)フェニル]アミノ}ピラジン-2-カルボキサミド、
5-[3-(アクリロイルアミノ)フェノキシ]-6-エチル-3-{[4-(4-エチルピペラジン-1-イル)フェニル]アミノ}ピラジン-2-カルボキサミド、
5-{[(3R)-1-アクリロイルピロリジン-3-イル]オキシ}-6-エチル-3-({4-[4-(4-メチルピペラジン-1-イル)ピペリジン-1-イル]フェニル}アミノ)ピラジン-2-カルボキサミド、
5-[3-(アクリロイルアミノ)フェノキシ]-6-イソプロピル-3-{[1-(1-メチルピペリジン-4-イル)-1H-ピラゾール-4-イル]アミノ}ピラジン-2-カルボキサミド、
5-[3-(アクリロイルアミノ)フェノキシ]-3-({4-[(3S)-3,4-ジメチルピペラジン-1-イル]フェニル}アミノ)-6-エチルピラジン-2-カルボキサミド、
5-[3-(アクリロイルアミノ)フェノキシ]-3-({4-[(3R)-3,4-ジメチルピペラジン-1-イル]フェニル}アミノ)-6-エチルピラジン-2-カルボキサミド、
5-(1-アクリロイルピペリジン-4-イル)-6-エチル-3-({4-[4-(4-メチルピペラジン-1-イル)ピペリジン-1-イル]フェニル}アミノ)ピラジン-2-カルボキサミド、
5-{[(3R)-1-アクリロイルピロリジン-3-イル]オキシ}-6-エチル-3-{[4-(4-メチルピペラジン-1-イル)フェニル]アミノ}ピラジン-2-カルボキサミド、
5-{[(3R)-1-アクリロイルピペリジン-3-イル]オキシ}-6-エチル-3-({4-[4-(4-メチルピペラジン-1-イル)ピペリジン-1-イル]フェニル}アミノ)ピラジン-2-カルボキサミド、
5-{[(3R)-1-アクリロイルピペリジン-3-イル]オキシ}-6-エチル-3-({3-メチル-4-[4-(4-メチルピペラジン-1-イル)ピペリジン-1-イル]フェニル}アミノ)ピラジン-2-カルボキサミド、若しくは、
5-[5-(アクリロイルアミノ)-2-フルオロフェノキシ]-6-エチル-3-{[4-(4-メチルピペラジン-1-イル)フェニル]アミノ}ピラジン-2-カルボキサミド、
又はその塩である、化合物又はその塩。」
 第３　当審の判断
１　目的要件について
（１）訂正事項１〜５について
　訂正事項１〜５は、訂正前の特許請求の範囲の請求項１，１１，１２，１３，１４を削除したものであるから、特許請求の範囲の減縮を目的とするものであるといえ、特許法第１２６条第１項ただし書き１号を目的とするものである。
（２）訂正事項６について
（ア）請求人は、訂正事項６について、審判請求書３頁（２）訂正の理由において、特許請求の範囲の請求項２の訂正については、他の請求項の記載を引用する請求項の記載を、当該他の請求項の記載を引用しないものとすることを目的とするものであると主張しているので、特許法第１２６条第１項ただし書き４号を目的とするか否かについてまず検討する。
（イ）特許法第１２６条第１項ただし書き４号の「他の請求項の記載を引用する請求項の記載を、当該他の請求項の記載を引用しないものとすることを目的とするもの」とは、他の請求項の記載を引用しないものとすることを目的としているのであるから、当然訂正前後でその請求項の意味内容が変化していないことが前提となる。
　したがって、請求項２の訂正前後の意味内容に関して検討する。
（ウ）訂正前の請求項１の記載は、
「式（Ｉ）の化合物又はその塩。
（式中、
R1は、置換されていてもよい芳香族へテロ環基であり、
環Aは、置換されていてもよいアレーン又は置換されていてもよい芳香族ヘテロ環であり、
L1は、-NH-であり、
R2は、H、又は低級アルキルであり、
L2は、-O-、-S(O)p-、又は結合であり、
Yは、環Xであり、
環Xは、置換されていてもよいシクロアルカン、置換されていてもよいアレーン、置換されていてもよい芳香族へテロ環又は置換されていてもよい非芳香族ヘテロ環であり、
L3は、-O-、-NH-、-N(置換されていてもよい低級アルキル)-、-N(置換されていてもよいシクロアルキル)-、-置換されていてもよい低級アルキレン-、-置換されていてもよい低級アルキレン-NH-、-NH-置換されていてもよい低級アルキレン-、-置換されていてもよい低級アルキレン-N(置換されていてもよい低級アルキル)-、-N(置換されていてもよい低級アルキル)-置換されていてもよい低級アルキレン-又は結合であり、
Mは、-C(O)-であり、
R3は、H又は置換されていてもよい低級アルキルであり、
R4は、-OH、ハロゲン、-NH2、-NH-(置換されていてもよい低級アルキル)、-N(置換されていてもよい低級アルキル)2及び置換されていてもよい非芳香族へテロ環基からなる群より選択される１以上の置換基で置換されていてもよい低級アルキル又はHであり、
pは、0、1又は2である。）  」
であるから、訂正前の請求項１の記載に基づいて、訂正前の請求項２をそのまま引用しない形式にした場合以下のとおりとなる。
「
R
1
が低級アルキルで置換されたピペラジニル、低級アルキルで置換されたピペリジニル又は低級アルキルで置換されていてもよいピペラジニルで置換されたピペリジニルであり
環Aがハロゲン、1以上のハロゲンで置換されていてもよい低級アルキル及び-O-低級アルキルからなる群より選択される1以上の置換基で置換されていてもよいベンゼン、低級アルキルで置換されていてもよいピラゾール、低級アルキルで置換されていてもよいイミダゾール又は低級アルキルで置換されていてもよいピリミジンであり、
R3及びR4がHである、
式（Ｉ）の化合物又はその塩。
（式中、
R
1
は、置換されていてもよい芳香族へテロ環基であり
環Aは、置換されていてもよいアレーン又は置換されていてもよい芳香族ヘテロ環であり、
L1は、-NH-であり、
R2は、H、又は低級アルキルであり、
L2は、-O-、-S(O)p-、又は結合であり、
Yは、環Xであり、
環Xは、置換されていてもよいシクロアルカン、置換されていてもよいアレーン、置換されていてもよい芳香族へテロ環又は置換されていてもよい非芳香族ヘテロ環であり、
L3は、-O-、-NH-、-N(置換されていてもよい低級アルキル)-、-N(置換されていてもよいシクロアルキル)-、-置換されていてもよい低級アルキレン-、-置換されていてもよい低級アルキレン-NH-、-NH-置換されていてもよい低級アルキレン-、-置換されていてもよい低級アルキレン-N(置換されていてもよい低級アルキル)-、-N(置換されていてもよい低級アルキル)-置換されていてもよい低級アルキレン-又は結合であり、
Mは、-C(O)-であり、
R3は、H又は置換されていてもよい低級アルキルであり、
R4は、-OH、ハロゲン、-NH2、-NH-(置換されていてもよい低級アルキル)、-N(置換されていてもよい低級アルキル)2及び置換されていてもよい非芳香族へテロ環基からなる群より選択される１以上の置換基で置換されていてもよい低級アルキル又はHであり、
pは、0、1又は2である。） 」（下線は、当審にて追加）
（エ）上記訂正前の請求項２を引用しない形式にしたものにおいては、下線の訂正前の請求項１のＲ１の定義「置換されていてもよい
芳香族へテロ環基
ピペラジニル
ピペリジニル
（オ）そこで、訂正前の請求項２の記載について、訂正前の引用元の請求項１のＲ１の定義である「置換されていてもよい芳香族へテロ環基であり」が本来の意味であるのか、訂正前の請求項２の 「 Ｒ１が低級アルキルで置換されたピペラジニル、低級アルキルで置換されたピペリジニル又は低級アルキルで置換されていてもよいピペラジニルで置換されたピペリジニルであり」が本来の意味であるのか検討することとする。
（カ）まず、訂正前の請求項２の記載において、引用元の請求項１のＲ１の定義も、請求項２のＲ１の定義も正しいとすると、Ｒ１として定義を満たす範囲がなくなることになり、請求項２の記載内容が空になってしまい、そのこと自体不明瞭である。したがって、Ｒ１の定義が訂正前の引用元の請求項１のＲ１の定義と請求項２のＲ１の定義の両方を満たす範囲であることが、本来の意味であるとは考えられない。
　また、訂正前の請求項２の記載について、訂正前の引用元の請求項１のＲ１の定義である「置換されていてもよい芳香族へテロ環基であり」が本来の意味であるのか、訂正前の請求項２の 「 Ｒ１が低級アルキルで置換されたピペラジニル、低級アルキルで置換されたピペリジニル又は低級アルキルで置換されていてもよいピペラジニルで置換されたピペリジニルであり」が本来の意味であるのかは、訂正前の請求項１や請求項２の記載のみからでは、一義的に決まらないので、特許請求の範囲の他の記載又は明細書の記載を参照せざるを得ない。
　特許請求の範囲の他の記載として、訂正前の請求項１０には、１７個の化合物すべてが請求項２のＲ１の定義に該当するものとして特定されている。
　また、明細書に記載された実施例１〜５８，６１〜２６６の化合物が、すべて請求項２のＲ１の定義に該当するものとして示されており、５９，６０の化合物においても、ピリジニル基とフェニル基をＲ１ではなく、Ａの一部としてフェニル基の置換基であると考えれば請求項２のＲ１の定義に該当するともいえる。
　よって、特許請求の範囲の他の記載又は明細書の記載を参照すれば、当業者であれば、訂正前の請求項２の記載は、「 Ｒ１が低級アルキルで置換されたピペラジニル、低級アルキルで置換されたピペリジニル又は低級アルキルで置換されていてもよいピペラジニルで置換されたピペリジニルであり」というのが本来の意味であると当業者は解釈するといえる。
　さらにいえば、一般的には、「Ｒ１は置換されていてもよい芳香族へテロ環基であり」という記載は、「 Ｒ１が低級アルキルで置換されたピペラジニル、低級アルキルで置換されたピペリジニル又は低級アルキルで置換されていてもよいピペラジニルで置換されたピペリジニルであり」という記載より上位概念の記載であり、両者に不整合を生じた場合には、より具体的に記載したものが本来の意味を表していると考えることに一定の合理性があるともいえる。
（キ）してみれば、Ｒ１の本来の意味として、引用形式で記載された訂正前の請求項２において、実際に定義として請求項中で明記された「Ｒ１が低級アルキルで置換されたピペラジニル、低級アルキルで置換されたピペリジニル又は低級アルキルで置換されていてもよいピペラジニルで置換されたピペリジニルであり」の方が、訂正前の請求項２のＲ１の本来の意味であると当業者であれば理解できる。
（ク）したがって、訂正事項６は、請求人の主張するところの他の請求項の記載を引用しないものとするための訂正だけでなく、不明瞭な記載を本来の記載のとおりにするため、記載を削除して、上記不整合を解消したものであるといえる。
　以上のとおり、訂正事項６は、「他の請求項の記載を引用する請求項の記載を、当該他の請求項の記載を引用しないものとすることを目的とするもの」および「明瞭でない記載の釈明を目的とするもの」であるといえるので、特許法第１２６条第１項ただし書き第３号および第４号を目的とするものである。
（３）訂正事項７について
（ア）訂正前の請求項１０には１７種の化合物名とその塩が列挙された上で、「請求項１に記載の化合物又はその塩」と特定されていたところ、訂正事項６で検討したのと同様に、請求項１のＲ１の定義の「Ｒ１は、置換されていてもよい芳香族へテロ環基であり」と訂正前の請求項１０の列挙された化合物名との間には、１７種の化合物すべてにおいてＲ１に相当する部分は「芳香族へテロ環基」に該当しない「ピペラジニル」基又は「ピペリジニル」基である点で、両者には不整合があり、不明瞭な記載であることが理解できる。
（イ）そこで、訂正前の請求項１０の記載について、訂正前の引用元の請求項１のＲ１の定義である「置換されていてもよい芳香族へテロ環基であり」が本来の意味であるのか、訂正前の請求項１０の列挙された化合物名が本来の意味であるのか検討することとする。
（ウ）まず、訂正前の請求項１０において、引用元の請求項１のＲ１定義も、請求項１０の列挙された化学名も正しいとすると、列挙された化合物名のすべてが該当しないことになり、請求項１０の記載内容が空になってしまうので、そのこと自体不明瞭である。したがって、請求項１のＲ１の定義も、請求項１０の化合物名も、両方が正しいとするのが本来の意味であるとは考えられない。
（エ）また、訂正前の請求項１０の記載について、訂正前の引用元の請求項１の「Ｒ１は、置換されていてもよい芳香族へテロ環基であり」が本来の意味であるのか、訂正前の請求項１０の１７個の化合物名が本来の意味であるのかは、訂正前の請求項１や請求項１０の記載のみからでは、一義的に決まらないので、特許請求の範囲の他の記載又は明細書の記載を参照せざるを得ない。
　特許請求の範囲の他の記載としては、訂正前の請求項２には、「Ｒ１が低級アルキルで置換されたピペラジニル、低級アルキルで置換されたピペリジニル又は低級アルキルで置換されていてもよいピペラジニルで置換されたピペリジニルであり」として、請求項１０の１７個の化合物中のＲ１に相当する部分が、その定義に合致するＲ１の定義が示されている。
　また、明細書には、請求項１０の１７個の化合物名に合致した、実施例１，３，１５，２２，２４，２６，４２，４３，５４，５６，６３，６４，６９，７３，７９，８０，８２が記載されている。
　よって、特許請求の範囲の他の記載又は明細書の記載を参照すれば、当業者であれば、訂正前の請求項１０の記載は、記載された１７個の化合物名の方が本来の意味であると当業者は解釈するといえる。
　さらにいえば、一般的には、「Ｒ１は置換されていてもよい芳香族へテロ環基であり」という記載は、具体的な１７個の化合物名の記載より上位概念の記載であり、両者に不整合を生じた場合には、より具体的に記載したものが本来の意味を表していると考えることに一定の合理性があるともいえる。
（オ）してみれば、その本来の意味は、訂正前の請求項１０において、請求項中で全ての選択肢として明記されていた１７種の化合物名の方が、訂正前の請求項１０の本来の意味であると当業者であれば理解できる。
（カ）したがって、訂正事項７は、請求人の主張するところの他の請求項の記載を引用しないものとするための訂正だけでなく、不明瞭な記載を本来の記載のとおりにするため、記載を削除して、上記不整合を解消したものであるといえる。
　以上のとおり、訂正事項７は、「他の請求項の記載を引用する請求項の記載を、当該他の請求項の記載を引用しないものとすることを目的とするもの」および「明瞭でない記載の釈明を目的とするもの」であるといえるので、特許法第１２６条第１項ただし書き第３号および第４号を目的とするものである。
（４）小括
　以上のとおり、訂正事項１〜５は、特許法第１２６条第１項ただし書第１号に掲げる特許請求の範囲の減縮を目的とするものであり、訂正事項６，７は、特許法第１２６条第１項ただし書第３号に掲げる明瞭でない記載の釈明を目的とするもの、および特許法第１２６条第１項ただし書第４号に掲げる他の請求項の記載を引用する請求項の記載を、当該他の請求項の記載を引用しないものとすることを目的とするものを目的とするものであって、本件訂正は、特許法第１２６条第１項に適合するものといえる。
２　新規事項について
（１）訂正事項１〜５について
　
　前記１で述べたとおり、訂正事項１〜５は、請求項を削除する内容の訂正であるので、願書に添付した明細書、特許請求の範囲又は図面に記載した事項の範囲内でした訂正である。
（２）訂正事項６について
　前記１で述べたとおり、訂正事項６は、「他の請求項の記載を引用する請求項の記載を、当該他の請求項の記載を引用しないものとすることを目的とするもの」および「明瞭でない記載の釈明を目的とするもの」であるところ、訂正前の請求項２の記載を、他の請求項の記載を引用しないものとすることと、不明瞭な記載に対して不整合を生じている請求項１のＲ１の定義を事実上削除したものと理解できるので、本来の意味のとおりに訂正したものにすぎず、願書に添付した明細書、特許請求の範囲又は図面に記載した事項の範囲内でした訂正である。
（３）訂正事項７について
　前記１で述べたとおり、訂正事項７は、「他の請求項の記載を引用する請求項の記載を、当該他の請求項の記載を引用しないものとすることを目的とするもの」および「明瞭でない記載の釈明を目的とするもの」であるところ、訂正前の請求項１０の記載を、他の請求項の記載を引用しないものとすることと、不明瞭な記載に対して不整合を生じている請求項１のＲ１の定義を事実上削除したものと理解できるので、本来の意味のとおりに訂正したものにすぎず、願書に添付した明細書、特許請求の範囲又は図面に記載した事項の範囲内でした訂正である。
（４）小括
　以上のとおり、訂正事項１〜７は、いずれも、願書に添付した明細書、特許請求の範囲又は図面に記載した事項の範囲内においてなされたものであって、本件訂正は、特許法第１２６条第５項に適用するものといえる。
３　特許請求の範囲の実質上の拡張又は変更について
（１）訂正事項１〜５について
　前記１で述べたとおり、訂正事項１〜５は、請求項を削除する内容の訂正であるので、明らかに、特許請求の範囲の実質上の拡張又は変更にはあたらない。
（２）訂正事項６，７について
　前記１で述べたとおり、訂正事項６、７は、「明瞭でない記載の釈明を目的とするもの」であるところ、明瞭でない記載の釈明を目的とする訂正の過程で、不整合を生じている記載を事実上削除しているため、形式的には変更が生じているが、不明瞭な記載の本来の意味は当業者であれば理解できたものであり、その本来の意味に即して解すれば実質的には特許請求の範囲の拡張又は変更にはあたらない。
（３）小括
　以上のとおり、訂正事項１〜７はいずれも、特許請求の範囲を実質上拡張又は変更するものとはいえないから、本件訂正は、特許法第１２６条第６項に適合するものである。
　
４　訂正後の発明の独立特許要件について
　本件訂正は、訂正事項１〜５に関して、特許法第１２６条第１項ただし書第１号に掲げる事項を目的とする訂正であるが、請求項が削除されているので、独立特許要件の判断の対象となる請求項が存在しない。
　また、前記１で述べたとおり、訂正事項６，７は、「他の請求項の記載を引用する請求項の記載を、当該他の請求項の記載を引用しないものとすることを目的とするもの」および「明瞭でない記載の釈明を目的とするもの」であるので、独立特許要件は判断しない。　
５　一群の請求項２〜９についての要件について
　訂正事項６に係る訂正後の請求項２〜９は、当該訂正事項６を含む請求項２の記載を、請求項３をが引用し、請求項４〜請求項６はそれぞれ前記請求項３を引用するものであり、請求項７は請求項４を、請求項８は請求項５を、請求項９は請求項６をそれぞれ引用するものであるから、当該訂正後の請求項２〜９は、特許法施行規則第４６条の２第第４号に規定する関係を有する一群の請求項を構成するものである。
　したがって、当該訂正事項６に係る訂正後の請求項２〜９は、一群の請求項を構成し、特許法第１２６条第３項の規定に適合するものである。
第４　むすび
　以上のとおりであるから、本件訂正は、特許法第１２６条第１項，同条第３項，第５項および第６項に適合するものである。
　よって、結論のとおり審決する。